(57)【要約】【課題】接眼レンズの外周面を損傷させることなく取り付けることができるとともに、光軸の調整が容易なカメラ取付用アダプターを提供する。【解決手段】接眼レンズ５にデジタルカメラを着脱可能に保持させるためのカメラ取付用アダプター１において、接眼レンズ５の外周面上であって接眼レンズ５の光軸Ｌを含む仮想多角形の頂点に突起部１１，１６を配置し、中央可動リング２１、カメラ取付リング２２、可動リング２３、第１の傾斜部２４及び第２の傾斜部２５からなる押付機構２０によって突起部１１，１６を接眼レンズ５の外周面に押し付けて接眼レンズ５とデジタルカメラとを結合させる。【選択図】　　　　図１
2004020770.tif 000002
【特許請求の範囲】
【請求項１】
接眼レンズにカメラを着脱可能に保持させるためのカメラ取付用アダプターにおいて、
前記接眼レンズの外周面上であって前記接眼レンズの光軸を含む仮想多角形の頂点に配置された弾性体からなる突起部と、
前記突起部を前記接眼レンズの外周面に押し付けて前記接眼レンズと前記カメラとを結合させる押付手段と
を備えていることを特徴とするカメラ取付用アダプター。
【請求項２】
前記突起部は光軸方向に所定間隔をおいて２箇所に設けられていることを特徴とする請求項１記載のカメラ取付用アダプター。
【請求項３】
前記押付手段は、
前記接眼レンズの外周面を覆う中央可動リングと、
この中央可動リングの一端部の外周面に螺合されるとともに、前記カメラに取り付けられるカメラ取付リングと、
前記中央可動リングの他端部の外周面に螺合され、前記中央可動リングに対して光軸方向へ移動可能な可動リングと、
前記カメラ取付リングに設けられ、前記中央可動リングの移動によって前記中央可動リングの一端部に保持された前記突起部を前記接眼レンズの外周面に押し付ける第１の傾斜部と、
前記可動リングに設けられ、前記可動リングの移動によって前記中央可動リングの他端部に保持された前記突起部を前記接眼レンズの外周面に押し付ける第２の傾斜部と
を備えていることを特徴とする請求項１記載のカメラ取付用アダプター。
【請求項４】
前記押付手段は、
前記カメラに取り付けられ、前記突起部を光軸方向へ所定間隔をおいて保持するカメラ取付リングと、
このカメラ取付リングに螺合し、前記カメラ取付リングに対して光軸方向へ移動可能な可動リングと、
この可動リングの内周面に光軸方向に所定間隔をおいて設けられ、前記可動リングの移動によって前記突起部を前記接眼レンズの外周面にそれぞれ押し付ける２つの傾斜部と
を備えていることを特徴とする請求項１記載のカメラ取付用アダプター。
【発明の詳細な説明】
【０００１】
【発明の属する技術分野】
この発明はカメラ取付用アダプターに関し、特に単眼鏡、双眼鏡、望遠鏡等にカメラを取り付けるためのカメラ取付用アダプターに関する。
【０００２】
【従来の技術】
接眼レンズにカメラを着脱可能に保持させるためにはカメラ取付用アダプターが用いられる。
【０００３】
従来のカメラ取付用アダプターは接眼レンズの外周面を覆うリング状のアダプター本体を有する。このカメラ取付用アダプターはアダプター本体の１〜３個所に設けられたねじによって接眼レンズの外周面に固定される。
【０００４】
【発明が解決しようとする課題】
従来のカメラ取付用アダプターでは接眼レンズの外周面にねじの先端が直接押し付けられるため、接眼レンズの外周面が損傷するおそれがある。
【０００５】
また、ねじを締め付けたり緩めたりしなければならないため、光軸の調整が難しかった。
【０００６】
この発明はこのような事情に鑑みてなされたもので、その課題は接眼レンズの外周面を損傷させることなく取り付けることができるとともに、光軸の調整が容易なカメラ取付用アダプターを提供することである。
【０００７】
【課題を解決するための手段】
上記課題を解決するために請求項１記載の発明は、接眼レンズにカメラを着脱可能に保持させるためのカメラ取付用アダプターにおいて、前記接眼レンズの外周面上であって前記接眼レンズの光軸を含む仮想多角形の頂点に配置された弾性体からなる突起部と、前記突起部を前記接眼レンズの外周面に押し付けて前記接眼レンズと前記カメラとを結合させる押付手段とを備えていることを特徴とする。
【０００８】
なお、接眼レンズはレンズを保持する接眼レンズ鏡筒を含む概念である。
【０００９】
請求項２に記載の発明は、請求項１記載のカメラ取付用アダプターにおいて、前記突起部は光軸方向に所定間隔をおいて２箇所に設けられていることを特徴とする。
【００１０】
請求項３に記載の発明は、請求項１記載のカメラ取付用アダプターにおいて、前記押付手段は、前記接眼レンズの外周面を覆う中央可動リングと、この中央可動リングの一端部の外周面に螺合されるとともに、前記カメラに取り付けられるカメラ取付リングと、前記中央可動リングの他端部の外周面に螺合され、前記中央可動リングに対して光軸方向へ移動可能な可動リングと、前記カメラ取付リングに設けられ、前記中央可動リングの移動によって前記中央可動リングの一端部に保持された前記突起部を前記接眼レンズの外周面に押し付ける第１の傾斜部と、前記可動リングに設けられ、前記可動リングの移動によって前記中央可動リングの他端部に保持された前記突起部を前記接眼レンズの外周面に押し付ける第２の傾斜部とを備えていることを特徴とする。
【００１１】
請求項４に記載の発明は、請求項１記載のカメラ取付用アダプターにおいて、前記押付手段は、前記カメラに取り付けられ、前記突起部を光軸方向へ所定間隔をおいて保持するカメラ取付リングと、このカメラ取付リングに螺合し、前記カメラ取付リングに対して光軸方向へ移動可能な可動リングと、この可動リングの内周面に光軸方向に所定間隔をおいて設けられ、前記可動リングの移動によって前記突起部を前記接眼レンズの外周面にそれぞれ押し付ける２つの傾斜部とを備えていることを特徴とする。
【００１２】
【発明の実施の形態】
図１はこの発明の第１実施形態に係るカメラ取付用アダプターの断面図である。
【００１３】
このカメラ取付用アダプター１は、望遠鏡用接眼レンズ５（以下接眼レンズという）の外周面上に配置された弾性体からなる突起部１１，１６と、接眼レンズ５とデジタルカメラ（図示せず）とを結合させる押付機構（押付手段）２０とを備えている。
【００１４】
押付機構２０は中央可動リング２１とカメラ取付リング２２と可動リング２３とを備えている。
【００１５】
中央可動リング２１は接眼レンズ５の中間部に配置され、接眼レンズ５の外周面を覆う。
【００１６】
中央可動リング２１の両端部には弾性体からなる環状部材１０，１５がそれぞれ配置されている。環状部材１０，１５にはそれぞれ３つの突起部１１，１６が一体に設けられている。環状部材１０，１５は、凹溝１０ａ，１５ａに嵌合した環状張出部２１ａ，２１ｂと中央可動リング２１の内周面に螺合したリング状の脱落防止金具６，７とによってそれぞれ保持されている。
【００１７】
カメラ取付リング２２の内周面にはめねじ２２ａが形成され、このめねじ２２ａは中央可動リング２１の一端部の外周面に形成されたおねじ２１ｄに螺合している。したがって、中央可動リング２１はカメラ取付リング２２に対して光軸Ｌ方向へ（光軸Ｌに沿って）移動可能である。
【００１８】
カメラ取付リング２２には第１の傾斜部２４が設けられている。突起部１１は中央可動リング２１の移動によって第１の傾斜部２４に突き当たり、光軸Ｌに向かって弾性変形する。
【００１９】
可動リング２３には第２の傾斜部２５が設けられている。突起部１６は可動リング２３の移動によって第２の傾斜部２５に突き当たり、光軸Ｌに向かって弾性変形する。
【００２０】
カメラ取付リング２２にはデジタルカメラを取り付けるためのカメラ取付ねじ２２ｂが形成されている。
【００２１】
可動リング２３の内周面にはめねじ２３ａが形成され、このめねじ２３ａは中央可動リング２１の他端部の外周面に形成されたおねじ２１ｅに螺合している。したがって、可動リング２３は中央可動リング２１に対して光軸Ｌ方向へ移動可能である。
【００２２】
なお、めねじ２２ａ，２３ａ及びおねじ２１ｄ，２１ｅをリードねじとすることによってカメラ取付リング２２に対する中央可動リング２１の回転角度及び中央可動リング２１に対する可動リング２３の回転角度を小さくすることができ、着脱時の操作性を向上させることができる。
【００２３】
図２は環状部材の斜視図である。
【００２４】
環状部材１０，１５は同形状であるので、ここでは環状部材１０だけを説明する。
【００２５】
環状部材１０，１５及び突起部１１，１６はゴム、エラストマ−、プラスチック等の弾性変形可能な軟質体で形成されている。環状部材１０の外周面と突起部１１との間には凹溝１０ａが形成されている。突起部１１は環状部材１０を接眼レンズ５（図１参照）の外周面に装着したときに光軸Ｌを含む仮想正三角形の頂点にそれぞれ配置される。
【００２６】
次に、カメラ取付用アダプター１を用いてデジタルカメラを接眼レンズ５に装着する方法を説明する。
【００２７】
まず、デジタルカメラのめねじ部（図示せず）にカメラ取付リング２２のカメラ取付ねじ２２ｂを捩じ込み、カメラ取付リング２２をデジタルカメラに固定する。
【００２８】
次に、カメラ取付リング２２の制限壁２２ｃに接眼レンズ５の端面が突き当たるまでデジタルカメラを光軸Ｌ方向へ移動させる。その結果、接眼レンズ５がカメラ取付用アダプター１によって覆われる。
【００２９】
その後、デジタルカメラを水平となるように位置決めする。
【００３０】
次に、カメラ取付リング２２のローレット部２２ｄを保持した状態で中央可動リング２１がカメラ取付リング２２に近付くように中央可動リング２１のローレット部２１ｆに指先を当てて中央可動リング２１を回転させる。
【００３１】
その結果、突起部１１が第１の傾斜部２４に突き当たる。突起部１１は第１の傾斜部２４によって光軸Ｌに向かって弾性変形し、接眼レンズ５の外周面に押し付けられる。このとき、等間隔に配置された３つの突起部１１が均等に弾性変形して接眼レンズ５の外周面を均等の力で保持する。
【００３２】
その後、中央可動リング２１のローレット部２１ｆを保持した状態で可動リング２３が中央可動リング２１に近付くように可動リング２３のローレット部２３ｅに指先を当てて可動リング２３を回転させる。
【００３３】
その結果、突起部１６が第２の傾斜部に突き当たる。突起部１６は第２の傾斜部２５によって光軸Ｌに向かって弾性変形し、接眼レンズ５の外周面に押し付けられる（図１の光軸Ｌより下側部分参照）。
【００３４】
このとき、等間隔に配置された３つの突起部１６が均等に弾性変形して接眼レンズ５の外周面を均等の力で保持する。
【００３５】
上記の作業を経て接眼レンズ５に対するデジタルカメラの装着が完了する。
【００３６】
次に、デジタルカメラを接眼レンズ５から取り外す方法を説明する。
【００３７】
まず、中央可動リング２１のローレット部２１ｆを保持した状態で可動リング２３が中央可動リング２１から離れるように可動リング２３を回転させる。
【００３８】
その結果、接眼レンズ５の外周面に押し付けられていた突起部１６が弾性力によって元の形状に復帰し、接眼レンズ５の外周面から離れる。
【００３９】
次に、カメラ取付リング２２のローレット部２２ｄを保持した状態で中央可動リング２１がカメラ取付リング２２から離れるように中央可動リング２１を回転させる。
【００４０】
その結果、接眼レンズ５のカメラ取付リング２２側の外周面に押し付けられていた突起部１１が弾性力によって元の形状に復帰し、接眼レンズ５の外周面から離れる（図１の光軸Ｌより上側参照）。
【００４１】
その後、デジタルカメラと一体になっているカメラ取付用アダプター１を接眼レンズ５から取り外す。
【００４２】
この第１実施形態によれば以下の効果を奏する。
【００４３】
▲１▼接眼レンズ５の外周面に弾性変形可能な突起部１１，１６を押し付けることによりカメラ取付用アダプター１を接眼レンズ５に固定するようにしたため、接眼レンズ５の外周面が損傷しない。
【００４４】
▲２▼周方向へ等間隔に配置された３つの突起部１１，１６が接眼レンズ５の外周面に押し付けられ、均等に弾性変形するため、光軸Ｌを調整する必要がほとんどなくなり、操作性が向上する。
【００４５】
▲３▼光軸Ｌ方向に離間して配置された突起部１１，１６をそれぞれ独立に弾性変形させることができるため、接眼レンズ５の外径が異なるときであってもそれぞれの外周面を均等に保持することができる。
【００４６】
図３はこの発明の第２実施形態に係るカメラ取付用アダプターの断面図である。
【００４７】
このカメラ取付用アダプター１０１は、接眼レンズ１０５の外周面上に配置された突起部１１１，１１６と、接眼レンズ１０５とデジタルカメラ（図示せず）とを結合させる押付機構（押付手段）１２０とを備えている。
【００４８】
押付機構１２０はカメラ取付リング１２２と可動リング１２３とを備えている。
【００４９】
カメラ取付リング１２２は接眼レンズ１０５の外周面を覆う円筒状であり、大径部１２２Ａと小径部１２２Ｂとを有する（図４参照）。
【００５０】
小径部１２２Ｂの一端側には周方向へ等間隔にそれぞれ３つの引掛孔１２２ｅとスリット孔１２２ｃとが形成されている。引掛孔１２２ｅとスリット孔１２２ｃとは光軸方向に隣接している。
【００５１】
また、小径部１２２Ｂの他端側には周方向へ等間隔にそれぞれ３つの引掛孔１２２ｆとスリット孔１２２ｄとが形成されている。引掛孔１２２ｆとスリット孔１２２ｄとは光軸方向に隣接している。
【００５２】
引掛孔１２２ｅには突起部１１１の後端部が嵌合している。突起部１１１の後端部は大径部１２２Ａに螺合したリング状の脱落防止金具１０６によって突起部１１１が引掛孔１２２ｅから抜け出さないように接眼レンズ１０５の外周面方向へ押し付けられている。
【００５３】
引掛孔１２２ｆには突起部１１６の後端部が嵌合している。突起部１１６の後端部はリング部材１１７に螺合したリング状の脱落防止金具１０７によって突起部１１６が引掛孔１２２ｆから抜け出さないように接眼レンズ１０５の外周面方向へ押し付けられている。
【００５４】
カメラ取付リング１２２の外周面にはおねじ１２２ａが形成され、このおねじ１２２ａは可動リング１２３の一端部の内周面に形成されためねじ１２３ａに螺合している。
【００５５】
また、カメラ取付リング１２２には図示しないデジタルカメラを取り付けるためのカメラ取付ねじ１２２ｂが形成されている。
【００５６】
なお、めねじ１２３ａ及びおねじ１２２ａをリードねじとすることによってカメラ取付リング１２２に対する可動リング１２３の回転角度を小さくすることができ、着脱時の操作性を向上させることができる。
【００５７】
可動リング１２３の内周面には第１の傾斜部１２４及び第２の傾斜部１２５が光軸Ｌ方向に所定間隔をおいて設けられている。可動リング１２３の移動によって第１の傾斜部１２４の傾斜面１２４ａ及び第２の傾斜部１２５の傾斜面１２５ａに突起部１１１，１１６が突き当たると、突起部１１１，１１６が弾性変形する。
【００５８】
図４は突起部をカメラ取付リングに配置した状態を示す斜視図である。
【００５９】
突起部１１１，１１６はゴム、エラストマー、プラスチック等の弾性変形可能な軟質体で形成されている。突起部１１１，１１６はカメラ取付リング１２２の小径部１２２Ｂの外周面上にそれぞれ位置する。しかも、突起部１１１，１１６は接眼レンズ（図３参照）の光軸を含む仮想正三角形の頂点にそれぞれ配置されている。すなわち、突起部１１１，１１６はカメラ取付リング１２２の小径部１２２Ｂの外周面に１２０°の間隔をおいて配置されている。
【００６０】
次に、カメラ取付用アダプターを用いてデジタルカメラ（図示せず）を接眼レンズに装着する方法を説明する。
【００６１】
まず、デジタルカメラにカメラ取付リング１２２のカメラ取付ねじ１２２ｂを捩じ込み、カメラ取付リング１２２をデジタルカメラに固定する。
【００６２】
次に、カメラ取付リング１２２の制限壁１２２ｇ（図３参照）に接眼レンズ１０５の端面が突き当たるまでデジタルカメラを光軸Ｌ方向へ移動させる。その結果、接眼レンズ１０５がカメラ取付用アダプター１０１によって覆われる。
【００６３】
その後、デジタルカメラを水平となるように位置決めする。
【００６４】
次に、可動リング１２３がデジタルカメラに近付くように可動リング１２３のローレット部１２３ｂに指先を当てて可動リング１２３を回転させる。
【００６５】
その結果、突起部１１１の先端部が第１の傾斜部１２４の傾斜面１２４ａに突き当たるとともに、突起部１１６の先端部が第２の傾斜部１２５の傾斜面１２５ａに突き当たる。
【００６６】
突起部１１１の先端部は傾斜面１２４ａによって光軸Ｌへ向かって弾性変形し、スリット孔１２２ｃを通じて接眼レンズ１０５の外周面に押し付けられるとともに、突起部１１６の先端部は傾斜面１２５ａによって光軸Ｌへ向かって弾性変形し、スリット孔１２２ｄを通じて接眼レンズ１０５の外周面に押し付けられる（図３の光軸Ｌより下側部分参照）。
【００６７】
このとき、突起部１１１，１１６の先端部が均等に弾性変形して接眼レンズ１０５の外周面を均等の力で保持する。
【００６８】
上記作業を経て接眼レンズ１０５に対するデジタルカメラの装着が完了する。
【００６９】
次に、デジタルカメラ（図示せず）を接眼レンズ１０５から取り外す方法を説明する。
【００７０】
まず、デジタルカメラを接眼レンズ１０５に押し付けた状態で可動リング１２３がデジタルカメラから離れるように可動リング１２３を回転させる。
【００７１】
その結果、接眼レンズ１０５の外周面に押し付けられていた突起部１１１，１１６が弾性力によって元の形状に復帰し、接眼レンズ１０５の外周面から離れる（図３の光軸Ｌより上側参照）。
【００７２】
その後、デジタルカメラと一体になっているカメラ取付用アダプター１０１を接眼レンズ１０５から取り外す。
【００７３】
この第２実施形態によれば、第１実施形態の▲１▼及び▲２▼と同様の効果を奏するとともに、可動リング１２３を回転させるだけで光軸Ｌ方向に所定間隔をおいて配置された突起部１１１，１１６を同時に弾性変形させることができるため、操作性が一層向上する。
【００７４】
なお、上記各実施形態は本願発明を望遠鏡用接眼レンズに適用した場合について説明したが、適用範囲を望遠鏡用接眼レンズに限るものではなく、例えば単眼鏡や双眼鏡に対しても同様に適用することができ、この場合においても同様の効果を得ることができる。
【００７５】
また、上記各実施形態は本願発明をデジタルカメラに適用した場合について説明したが、適用範囲をデジタルカメラに限るものではなく、例えばコンパクトカメラに対しても同様に適用することができる。
【００７６】
更に、上記各実施形態では突起部を接眼レンズの光軸を含む仮想正三角形の頂点にそれぞれ配置したが、この配置に限るものではなく接眼レンズの光軸を含む仮想多角形の頂点に配置すればよい。
【００７７】
【発明の効果】
以上に説明したようにこの発明のカメラ取付用アダプターによれば、接眼レンズの外周面を損傷させることなく取り付けることができるとともに、光軸の調整が容易となる。
【図面の簡単な説明】
【図１】図１はこの発明の第１実施形態に係るカメラ取付用アダプターの断面図である。
【図２】図２は環状部材の斜視図である。
【図３】図３はこの発明の第２実施形態に係るカメラ取付用アダプターの断面図である。
【図４】図４は突起部をカメラ取付リングに配置した状態を示す斜視図である。
【符号の説明】
１，１０１　カメラ取付用アダプター
５，１０５　望遠鏡用接眼レンズ（接眼レンズ）
１１，１６，１１１，１１６　突起部
２０，１２０　押付機構（押付手段）
２１　中央可動リング
２２，１２２　カメラ取付リング
２３，１２３　可動リング
２４，１２４　第１の傾斜部
２５，１２５　第２の傾斜部
【図１】
2004020770.tif 000003
【図２】
2004020770.tif 000004
【図３】
2004020770.tif 000005
【図４】
2004020770.tif 000006